(57)【特許請求の範囲】
【請求項１】
本体背面部が壁体に取付けられると共に上面部が開口され、且つ内部にロール紙本体を回転自在に保持するホルダ本体と、前記ホルダ本体から引出されるロール紙を切断するロール紙切断機構と、を備えたロール紙ホルダであって、
前記ホルダ本体は、前記本体背面部の下端部から前記ロール紙引出し側に向かって延設される底面部を有し、
前記底面部の引出し側先端に前記ロール紙の引き出しをガイドするロール紙引き出しガイド部を形成し、
前記本体背面部に前記ロール紙本体の回転を許容しつつ当該ロール紙本体を押えるロール紙押え装置を設け、
このロール紙押え装置は、前記ホルダ本体内に収容されたロール紙本体が未使用のとき、前記本体背面部と前記ロール紙本体の径方向中心との距離より長い距離の位置で前記ロール紙本体の外周面を押えるロール紙押圧機構と、
先端部が前記ロール紙押圧機構を回動自在に支持する押圧機構支持アームと、を備え、
前記押圧機構支持アームは、その基端部が前記本体背面部に回動自在に設けられていることを特徴とするロール紙ホルダ。
【請求項２】
請求項１に記載のロール紙ホルダにおいて、
前記ホルダ本体は、前記本体背面部の下端部から前記ロール紙引出し側に向かって延設されると共に前記本体背面部に対して鋭角状に折り曲げ形成された傾斜底面部を有し、
前記傾斜底面部の引出し側先端に前記ロール紙引き出しガイド部を形成したことを特徴とするロール紙ホルダ。
【請求項３】
請求項１または２に記載のロール紙ホルダにおいて、
前記押圧機構支持アームの基端部を回動自在に保持する支持アーム保持部を前記本体背面部に設け、
前記ロール紙押圧機構を、前記ホルダ本体内に収容されたロール紙本体が未使用時の状態のとき前記支持アーム保持部より上方の位置になるように配設し、
前記ロール紙押圧機構はその重心位置を、前記ロール紙本体の重心位置より前記ロール紙引出し側に配置したことを特徴とするロール紙ホルダ。
【請求項４】
請求項２に記載のロール紙ホルダにおいて、
前記傾斜底面部の前記本体背面部から前記ロール紙引き出しガイド部までの長さを、前記本体背面部と前記傾斜底面部との間に未使用時の前記ロール紙本体が収容されたとき、そのロール紙本体の外径寸法と少なくとも同じ寸法に設定したことを特徴とするロール紙ホルダ。
【請求項５】
請求項１ないし４のいずれか一項に記載のロール紙ホルダにおいて、
前記押圧機構支持アームを、線状部材で構成すると共に前記ロール紙本体の両側面を挟み込む第１アーム部と、この第１アーム部の先端部に連続すると共に前記ロール紙押圧機構を支持する第２アーム部とで形成したことを特徴とするロール紙ホルダ。
【請求項６】
請求項５に記載のロール紙ホルダにおいて、
前記ロール紙押圧機構を、前記第２アーム部に回動自在に取付けられ前記ロール紙本体の周面に当接するロール状部材で構成したことを特徴とするロール紙ホルダ。
【発明の詳細な説明】
【技術分野】
【０００１】
本発明は、ロール紙ホルダに関し、より詳しくは、上面が開口され内部にロール紙本体が収容されたホルダ本体からロール紙が順次引き出され、ロール紙本体にロール紙が残り少なくなった場合でも、ロール紙を容易に引き出すことができるトイレットペーパー用のロール紙ホルダに関する。
【背景技術】
【０００２】
トイレットペーパー用のロール紙は、一般的に、芯となる紙筒にロール紙が巻回された形態をしている（以下、ロール紙が巻回された形態を「ロール紙本体」と言う）。
このロール紙の使用に際しては、まず、使用者がロール紙本体をロール紙ホルダにセットすることになる。
【０００３】
通常、ロール紙ホルダは、壁に取り付けられる本体背面板とこの本体背面板の両側から前方に延設され、心棒を介してロール紙本体を支持する心棒支持用側面板とを備えたホルダ本体と、本体背面板の上部を軸にして前方側に開閉自在に取り付けられると共に、ロール紙切断用の板として利用される蓋とを備えた構成のものが多く使用されている。
そして、この蓋の先端には切断刃が形成されているものが多い。
【０００４】
このような一般的なロール紙ホルダでは、ロール紙本体をセットする場合、まず、一方の手でロール紙本体を把持すると共に、他方の手でロール紙ホルダの蓋を持ち上げておいて、ロール紙本体の芯を心棒に差し込み、その心棒を心棒支持用側面板に掛け渡すことで、ロール紙本体をロール紙ホルダ内にセットする。
また、使用時にロール紙を引き出して切断する場合には、まず、一方の手で蓋を持ち上げてロール紙の先端部分を引き出せるようにした後、その先端部分を使用者が必要とする量だけ両手で引き出す。続いて、一方の手で蓋をロール紙本体に押し当てておいて、他方の手でロール紙を蓋の先端の切断刃に押し当てて下方に引っ張ることにより、必要量のロール紙が切り取られる。
【０００５】
しかし、上記のような構成のロール紙ホルダでは、ロール紙本体をセットする際には、ロール紙ホルダの蓋を持ち上げた後、ロール紙本体をロール紙ホルダの心棒に差し込み、その心棒を心棒支持用側面板に掛け渡す等の作業が必要となる。
また、使用に際しては、一方の手で蓋を持ち上げてロール紙を引き出した後、一方の手で蓋を押えておいて他方の手で必要量のロール紙を切取るため、作業が面倒である等の課題が生じている。
【０００６】
そこで、上記課題を解決すべく上記構成のロール紙ホルダに対して、蓋のないロールペーパーホルダーが提案されている（例えば、特許文献１参照）。
この特許文献１に開示されたロールペーパーホルダーでは、ロールペーパーの引出端部を簡単に引出口へ誘導してセットすることができ、ペーパー引き出しの際に滑らかに引出すことができるように構成されている。
すなわち、ロールペーパーホルダーの載置部が、壁面に沿って固定される固定部と、固定部から前方に下り傾斜の下降部と、下降部に連続する上昇部とで構成されており、この載置部に軸心を横にした状態でロールペーパーが載置されるようになっている。
【０００７】
また、ホルダーに手を触れることなく使用でき、ロールの交換が容易なロールペーパーホルダーも提案されている（例えば、特許文献２参照）。
この特許文献２に開示されたロールペーパーホルダーでは、断面略Ｊ形状のホルダー本体内にトイレットペーパーが載置されるようになっており、ホルダー本体に、ロールを囲むと共にロールの前面側周囲に当接する枠状の押え枠を取付けた構成となっている。
【先行技術文献】
【特許文献】
【０００８】
【特許文献１】特開２０１１−１９５９５号公報
【特許文献２】特願平９−２０１３０７号公報
【発明の概要】
【発明が解決しようとする課題】
【０００９】
しかしながら、前記特許文献１に開示されたロールペーパーホルダーでは、ロールペーパーをセットするには、軸心を横にした状態で、そのロールペーパーを、固定部と、下降部と、上昇部とで構成された載置部に載置するだけでよいので、セット作業が容易であるが、ペーパーの引出しに関しては、次のような課題が生じている。
すなわち、ペーパーは、下降部と上昇部との境界部に形成されている引出口から引出されるようになっており、ロールペーパーがセットされた後、使用が開始され所定量のペーパーが引出されて残り少なくなり、つまり、ロールペーパーの外径が小さくなったとき、ロールペーパーは軽くなる。
そのため、ペーパーを所定の位置で切断するため切断刃に押し当てようと引出したとき、軽くなったロールペーパーも同時に回転するため、ペーパーが必要以上に引出されダブった状態となり、決まった位置での切断が難しいので、結局、使用者は、片方の手で残り少なくなったロールペーパーを押えなくてはならず、作業が面倒である、と言う課題がある。
【００１０】
また、前記特許文献２に開示されたロールペーパーホルダーでは、ホルダー本体にロールを囲い込む押え枠が設けられており、この押え枠でトイレットペーパーの外周面を押える構成であり、上記押え枠は、その先端部が、ホルダ本体の上部の支持軸を支点として、Ｊ字状の湾曲底面部に沿って回動自在な形状に形成されている。
【００１１】
そのため、上記支持軸からの押え枠の先端部までの長さは、ホルダー本体に収容された未使用時のトイレットペーパーの外周面を押えることができるような長さが必要となる。また、押え枠は金属製であり、所定厚さ、所定幅の板部材でコ字状に形成されているので、押え枠の全体重量がかなりの重さとなる。
ホルダー本体に収容されたトイレットペーパーの外周を、上記のような押え枠で押えた状態でペーパーを引き出した場合、使用初期の段階ではトイレットペーパーの重量も所定の重さがあり、また、トイレットペーパーの外周一部がホルダー本体の壁取付け部側の内面部に当接しており、押え枠の先端部がその接点でトイレットペーパーの外周を押えていても、ペーパーを容易に引出すことができる。
【００１２】
ところが、所定量のペーパーが引き出され、トイレットペーパーの外径が小さくなって、重量も軽くなった場合、押え枠による押え力に対抗できなくなる。一方で、押え枠は、その重量が重いので、支持軸を支点として湾曲状の底面まで回動し、その位置に留まる。
そして、押え枠の回動により、軽くなったトイレットペーパーは押え枠の接点に押されて湾曲状の底面に沿って移動する。
【００１３】
引出されるペーパーは、上記のような押え枠の先端部と湾曲状の底面との隙間を通って切断刃側に導かれるが、湾曲状の底面において押え枠の先端部の外周面全体で押えられた状態で引出されるため、摩擦力が多くなり容易に引出し難いという課題がある。
【００１４】
また、例えばミシン目が施されたペーパーを引出す際に、押え枠の先端部の外面の角部にミシン目が引掛かかるおれがあり、その場合、引出されるペーパーが湾曲状の底面で破れ、その場に、次に引出すべきペーパーの先端部が留まってしまう。
そうすると、押え枠の先端部をホルダー本体の上方側に押上げておいて、次に引出すべきペーパーの先端部を湾曲状の底面から取り出さなければならず、作業が面倒であり、ロール紙の引き出しが容易ではない、と言う課題がある。
【００１５】
（本発明の目的）
本発明の目的は、上記各課題を解決するために提案されたものであり、ホルダ本体内に収容されたロール紙本体のロール紙が引き出され、ロール紙本体にロール紙が残り少なくなった場合でも、ロール紙本体を押さえることなくロール紙を容易に引き出すことができるロール紙ホルダを提供することである。
【課題を解決するための手段】
【００１６】
上記の目的を達成するために、本発明に係るロール紙ホルダは、本体背面部が壁体に取付けられると共に上面部が開口され、且つ内部にロール紙本体を回転自在に保持するホルダ本体と、前記ホルダ本体から引出されるロール紙を切断するロール紙切断機構と、を備えたロール紙ホルダであって、
前記ホルダ本体は、前記本体背面部の下端部から前記ロール紙引出し側に向かって延設される底面部を有し、
前記底面部の引出し側先端に前記ロール紙の引き出しをガイドするロール紙引き出しガイド部を形成し、
前記本体背面部に前記ロール紙本体の回転を許容しつつ当該ロール紙本体を押えるロール紙押え装置を設け、
このロール紙押え装置は、前記ホルダ本体内に収容されたロール紙本体が未使用のとき、前記本体背面部と前記ロール紙本体の径方向中心との距離より長い距離の位置で前記ロール紙本体の外周面を押えるロール紙押圧機構と、
先端部が前記ロール紙押圧機構を回動自在に支持する押圧機構支持アームと、を備え、
前記押圧機構支持アームは、その基端部が前記本体背面部に回動自在に設けられていることを特徴とする。
【発明の効果】
【００１７】
本発明のロール紙ホルダによれば、ホルダ本体内に収容されたロール紙本体からロール紙が引出される際、ロール紙押え装置の押圧機構が、ロール紙本体の回転を許容しつつ当該ロール紙本体の外周を押えているので、ホルダ本体内に収容されたロール紙本体のロール紙が引き出され、ロール紙本体にロール紙が残り少なくなった場合でも、ロール紙本体を押さえることなくロール紙を容易に引き出すことができる。
また、ロール紙押え装置が、ロール紙押圧機構と押圧機構支持アームとを備えて構成され、この押圧機構支持アームが本体背面部に回動自在に設けられているので、ホルダ本体内にロール紙本体を収容する際、押圧機構支持アームによりロール紙押圧機構をホルダ本体の上方側に回動させることで、ロール紙本体を容易にホルダ本体に収容することができ、これにより、ロール紙本体の収容の手間が少なくて済む、と言う効果が得られる。
【図面の簡単な説明】
【００１８】
【図１】本発明に係るロール紙ホルダの第１実施形態を示す全体斜視図である。
【図２】第１実施形態のロール紙ホルダにロール紙本体を収容した状態を示す全体斜視図である。
【図３】前記第１実施形態のロール紙ホルダのロール紙引き出しガイド部およびロール紙切断機構の詳細を示す拡大図である。
【図４】図３におけるIV矢視図で、ロール紙切断機構の平面図である。
【図５】前記第１実施形態のロール紙引き出しガイド部およびロール紙切断機構と、引出されたロール紙との関係を示す拡大図であり、同図（Ａ）はロール紙が引出された状態、同図（Ｂ）は引出されたロール紙が切断された状態を示す側面図である。
【図６】図２におけるVI矢視図で、ロール紙押え装置が大径のロール紙本体の外周面を押えている状態を示す側面図である。
【図７】図６に示す状態からロール紙が使用され直径が小さくなったロール紙本体の外周面をロール紙押え装置が押えている状態を示す側面図である。
【図８】図７に示す状態からさらに使用されてロール紙が残り少なくなったロール紙本体の外周面をロール紙押え装置が押えている状態を示す側面図である。
【図９】ホルダ本体内にロール紙本体が収容されていない状態でロール紙ホルダが壁体に取付けられている状態を示す側面図である。
【図１０】前記第１実施形態のロール紙ホルダからロール紙を引き出す機構の原理を示す説明図である。
【図１１】本発明に係るロール紙ホルダの第２実施形態を示す全体側面図である。
【図１２】図１１におけるXII矢視図である。
【図１３】本発明に係るロール紙ホルダの第３実施形態を示す全体側面図である。
【発明を実施するための形態】
【００１９】
以下、本発明の第１実施形態を図１〜９に基づいて説明する。
【００２０】
〔基本的な構成〕
図１ないし図３に示すように、第１実施形態のロール紙ホルダ１０は、上面部が開口されている蓋無しタイプのものであり、その内部にロール紙本体１００を回転自在に保持するホルダ本体１２を備えている。このホルダ本体１２は、その本体背面部１２Ａを介して壁体Ｗ（図６等参照）に取付けられるようになっている。
また、ロール紙ホルダ１０には、ホルダ本体１２内のロール紙本体１００を、その回転を許容しつつ押えるロール紙押え装置１４が設けられている。
【００２１】
ホルダ本体１２は、図１，６等に示すように、上記本体背面部１２Ａと、その本体背面部１２Ａの下端部から先端部、つまり、ロール紙引出し側に向かって延設されると共に、本体背面部１２Ａに対して鋭角状、例えば、７０°の角度で折り曲げ形成された傾斜底面部１２Ｂとを有する形状となっている。
【００２２】
上記ホルダ本体１２は、薄板部材、具体的にはステンレス製の、例えば、１．５ｍｍの薄板で構成されている。そのため、ベンダー加工やプレス加工等で容易に折り曲げ形成できるので、加工性に優れ、また、耐食性、耐熱性等に優れたものとなり、衛生面でも優れた効果が得られる。
なお、ホルダ本体１２の板厚は、１．５ｍｍに限定されないが、あまり薄いと強度が弱くなるので、１．５ｍｍ〜２．０ｍｍ程度が好ましい。また、使用材料としては、必ずしも、ステンレス製でなくてもよい。ステンレスと同等の強度、耐食性、加工性、耐熱性等の特性を持つものであれば、例えば、ＰＰ（ポリプロピレン）等の合成樹脂を用いてもよい。
【００２３】
図１に示すように、本体背面部１２Ａは平面矩形形状に形成されており、その表面四隅には、当該本体背面部１２Ａ、言い換えれば、ホルダ本体１２を壁体Ｗに取付ける取付ビス５０用の取付け孔１２Ａａがあけられている。
【００２４】
また、本体背面部１２Ａの幅方向両端部で、且つ上端部には、詳細は後述するが、線状部材で構成されている押圧機構支持アーム１８の基端部を挿入して保持する支持アーム保持部１２Ｆが設けられている。
この支持アーム保持部１２Ｆは、本体背面部１２Ａの突出した一部を表面から前方に略直角に折り曲げて形成され、略半円形状となっている。そして、この支持アーム保持部１２Ｆには、上記押圧機構支持アーム１８の基端部を挿入し保持するための水平方向にあけられた保持用孔（図略）があけられている。
ここで、上記線状部材としては、例えば、外径２０ｍｍのステンレス鋼線が使用されている。ただし、線状部材としては、ステンレス鋼線に限定されない。
【００２５】
傾斜底面部１２Ｂは、前述のように、また、図６に示すように、本体背面部１２Ａに対してその下端から、角度α°、例えば、７０°の傾斜角度で鋭角状に折り曲げ形成され、この折曲げ部Ｆから、前方、つまり、ロール紙引き出しガイド部１２Ｃ側（ロール紙引出し側）に向かって上向きに傾斜している。
ただし、傾斜底面部１２Ｂの傾斜角度α°は７０°に限定されない。本体背面部１２Ａに対して前方側に延設されていればよく、例えば、９０°以内であればよい。しかし、９０°、または、９０°に近い角度の場合、ロール紙１０１の引出しに連れてロール紙本体１００も動きやすいので、傾斜角度α°は７０°前後が好ましい。
【００２６】
傾斜底面部１２Ｂの長さ、つまり、本体背面部１２Ａからロール紙引き出しガイド部１２Ｃまでの長さは、図６に示すように、本体背面部１２Ａと傾斜底面部１２Ｂとの間に未使用時のロール紙本体１００が収容されたとき、そのロール紙本体１００の外径寸法Φ（例えば、１１０ｍｍのタイプのもの）と、少なくとも同じ寸法に設定されている。そして、本実施形態では、例えば、１１０ｍｍに設定されている。
ただし、傾斜底面部１２Ｂの長さは１１０ｍｍに限定されない。ロール紙本体１００が傾斜底面部１２Ｂのロール紙引き出しガイド部１２Ｃより前方に突出しない範囲であればよく、また、ロール紙本体１００の外周と、ロール紙ガイド部１２Ｃとの差がありすぎると、傾斜底面部１２Ｂの長さが長くなって小型化が図れなくなるので、例えば、１１０ｍｍ〜１２０ｍｍの範囲の長さに設定されていることが好ましい。
【００２７】
また、図１に示すように、傾斜底面部１２Ｂにおいて本体背面部１２Ａの下端部側の端部には、傾斜底面部１２Ｂの表面に溜まるゴミや埃を排出するための複数のゴミ排出用長孔１２Ｂａが形成されている。
さらに、傾斜底面部１２Ｂの幅方向両端部には強度補給用の立上がり部１２Ｇが設けられている。
【００２８】
本体背面部１２Ａと傾斜底面部１２Ｂとが上記したような形状に形成されているので、ロール紙本体１００が両者１２Ａ，１２Ｂ間に収容され保持されたとき、ロール紙本体１００の重心位置が折曲げ部Ｆ側に位置することになる。
その結果、ロール紙１０１を引き出すとき、その引き出し動作に連れてロール紙本体１００が引出されることがなく、引出し作業がスムーズに行われるようになる。
【００２９】
〔ロール紙引き出しガイド部とロール紙切断機構との説明〕
図１，３等に示すように、ホルダ本体１２においてロール紙１０１の引出し側先端部、つまり、上記傾斜底面部１２Ｂの先端には、上述のように、ロール紙１０１を引き出す際のガイドとなるロール紙引き出しガイド部１２Ｃが形成されている。
ロール紙引き出しガイド部１２Ｃは、傾斜底面部１２Ｂの先端部に形成されており、この先端部は、傾斜底面部１２Ｂの先端部から下方に向けて、当該傾斜底面部１２Ｂに対して所定の角度α°、例えば、７０°の角度で折り曲げ形成されている。そして、その先端部は、Ｒ形状となっており、これにより、ロース紙１０１がスムーズに引出されるようになっている。
【００３０】
ロール紙引き出しガイド部１２Ｃの下部側には、折り曲げられた部位から所定寸法下方に延びた連結部１２Ｄが形成され、さらに、この連結部１２Ｄの先端側端部には、前記傾斜底面部１２Ｂと略平行に折り曲げ形成された切断機構取付部１２Ｅが形成されている。そして、この切断機構取付部１２Ｅに、前記ロール紙切断機構１３が取付けられるようになっている。
なお、連結部１２Ｄと切断機構取付部１２Ｅとは所定の角度α°、例えば、７０°の角度で折り曲げ形成されている。つまり、切断機構取付部１２Ｅは、前記ホルダ本体１２が壁体Ｗに取付け固定されたとき、上向きに配置されていることになる。
【００３１】
前記連結部１２Ｄの幅方向両側には、図１に示すように、それぞれ対向する方向に切れ込んだ略楕円状の切込み部１２Ｄａが形成されている。この切込み部１２Ｄａは、ロール紙１０１を引出す際、次に述べる間隙部Ｓに、連結部１２Ｄの後部から指を差し込めるようにしたものである。
また、連結部１２Ｄの前面には、ホルダ本体１２内にロール紙本体１００が収容されていないとき見映えがよいように、また、ホルダ本体１２の全体重量を少しでも軽くするために、横方向に長い複数の長孔１２Ｄｂが形成されている。
【００３２】
ここで、図３に示すように、ロール紙引き出しガイド部１２ＣのＲ状の先端頂部と、ロール紙切断部材１３Ｂの切断刃部１３Ｂａとの上下方向の間隔Ｈは、例えば３５ｍｍに設定されている。また、ロール紙引き出しガイド部１２Ｃの先端頂部と上記切断刃部１３Ｂａの先端との前後方向の距離Ｌは、例えば２０ｍｍの寸法に設定されている。
ただし、上記間隔Ｈおよび距離Ｌの寸法は、上記各寸法に限定されない。次にも述べるように、ロール紙引き出しガイド部１２Ｃと切断刃部１３Ｂａとの間に、例えば、人差し指を差込んで、ロール紙１０１の先端部１０１Ａを引出すことができるような間隙部Ｓを形成できるような寸法であればよい。
【００３３】
前述のように、傾斜底面部１２Ｂの長さが、例えば１１０ｍｍとされており、ロール紙ガイド部１２Ｃとロール紙切断部材１３Ｂの切断刃部１３Ｂａとの前後方向の距離Ｌが、例えば２０ｍｍに設定されているので、本体背面部１２Ａから切断刃部１３Ｂａの先端までの長さは、１３０ｍｍに設定されていることになる。
【００３４】
そのため、図５〜８に示すように、ホルダ本体１２に収容されているロール紙本体１００から引出されたロール紙１０１は、ロール紙引き出しガイド部１２Ｃを経由してそのロール紙引き出しガイド部１２Ｃの斜め前方下部側に引出され、次に、ロール紙切断部材１３Ｂの切断刃部１３Ｂａにより切断されるようになっている。
ロール紙引き出しガイド部１２Ｃに対してロール紙切断部材１３Ｂが寸法Ｌｍｍ（２０ｍｍ）だけ前方に突出しており、また、ロール紙引き出しガイド部１２ＣのＲ状の先端頂部からロール紙切断部材１３Ｂまでの距離が所定寸法Ｈ（３５ｍｍ）に設定されているので、ロール紙引き出しガイド部１２Ｃとロール紙切断部材１３Ｂとの間に、図５等に示すように、側面視で所定の広さの略三角形状の間隙部Ｓが形成されている。
【００３５】
そして、この間隙部Ｓは、ロール紙１０１を引き出す際に、例えば、人差し指を前記切込み部２Ｄａから間隙部Ｓに差込み、親指とでロール紙１０１の先端を挟み込むことで、ロール紙１０１を引き出せるような広さになっている。つまり、ホルダ本体１２等のどこにも触れずにロール紙１０１を引き出すことができるようになっており、衛生面でも優れたロール紙ホルダ１０が得られる。
【００３６】
前記ロール紙切断機構１３は、図３，４に示すような構成となっている。
すなわち、ロール紙切断機構１３は、開口側先端が狭まった断面コ字状の切断刃取付部材１３Ａと、この切断刃取付部材１３Ａに挟み込まれた前記ロール紙切断部材１３Ｂとで構成されている。
そして、切断刃取付部材１３Ａの先端には、その下面が前記切断機構取付部１２Ｅの平坦部上面に接着等で取付けられている。
【００３７】
切断刃取付部材１３Ａは、図４に示すように、前記傾斜底面部１２Ｂの略全幅にわたる長さ寸法に形成されている。
また、ロール紙切断部材１３Ｂは、切断刃取付部材１３Ａの全長にわたって設けられている。このロール紙切断部材１３Ｂは、その厚さ方向両面が切断刃取付部材１３Ａに挟み込まれ、且つ両面が接着によって固定されている。
【００３８】
ロール紙切断部材１３Ｂは、例えば、硬質ゴムで構成されており、図４に示すように、その先端に鋸歯状の切断刃部１３Ｂａが形成され、この切断刃部１３Ｂａの部位の平面形状が、所定寸法の半径Ｒとなった湾曲形状に形成されている。
また、ロール紙切断部材１３Ｂは、図３にも示すように、切断刃取付部材１３Ａの先端から所定寸法突出して状態で取付けられている。
【００３９】
〔ロール紙押え装置の説明〕
前記ロール紙押え装置１４は、図１に示すように、また、前述のように、前記本体背面部１２Ａに設けられ、前記ホルダ本体１２からのロール紙１０１の引出し時にロール紙本体１００の回転を許容しつつ当該ロール紙本体１００を押え、ロール紙１０１が少なくなったロール紙本体１００からロール紙１０１を引出す際でも、ロール紙押え装置１４やロール紙本体１００を手で押えることなく容易に引出すことができ、また、ロール紙本体１００がホルダ本体１２から飛出さないようにする機能を有する。
【００４０】
ロール紙押え装置１４は、ロール紙本体１００の外周面に当接すると共に当該ロール紙本体１００の回転を許容可能に押さえる（押圧する）ロール紙押圧機構１５と、このロール紙押圧機構１５を支持する押圧機構支持アーム１８と、を備えて構成されている。
【００４１】
まず、押圧機構支持アーム１８を説明する。
押圧機構支持アーム１８は、本体背面部１２Ａの上部且つ左右両端部の前記支持アーム保持部１２Ｆを支点として、傾斜底面部１２Ｂとの間で上下方向に回動自在に、前記本体背面部１２Ａに取付けられている。
【００４２】
押圧機構支持アーム１８は、例えば、直径３ｍｍのステンレス製の線状部材で構成され、全体平面形状が、図１に示すように、略コ字状に形成されている。
押圧機構支持アーム１８の側面形状は、略コ字状の開放側の基端部からロール紙引き出しガイド部１２Ｃ側に延びた平行な２本の第１アーム部１８Ａと、この第１アーム部１８Ａの端部同士に連続し、かつ本体背面部１２Ａおよび傾斜底面部１２Ｂの平面部と平行な第２アーム部１８Ｂとで形成されている。
そして、上記第２アーム部１８Ｂに前記ロール紙押圧機構１５が装着されるようになっている。
【００４３】
第１アーム部１８Ａの両基端部には、互いに外側に折り曲げ形成された所定寸法の差込み部１８Ａａが設けられ、これらの差込み部１８Ａａを、前記支持アーム保持部１２Ｆの取付け孔に差込み、その後に差込み部１８Ａａの先端に固定ピン１９を固着することで、押圧機構支持アーム１８、ひいてはロール紙押え装置１４が本体背面部１２Ａに回動自在に取付けられるようになっている。
【００４４】
前記ロール紙押圧機構１５は、図２，６等に示すように、ロール紙本体１００の外周面に当接し、且つ押圧する押圧部材１６、およびこの押圧部材１６を保持する押圧部材保持体１７を備えて構成されている。
【００４５】
押圧部材保持体１７は、例えば、プラスチック等の合成樹脂製とされ、開口側が狭くなった断面略コ字状に形成されている。
また、押圧部材１６は、ロール紙本体１００の外周面に当接する当接部１６Ａと、この当接部１６Ａと略直角に外側に折り曲げ形成されている突出片部１６Ｂとで形成され、断面略Ｌ字形状に形成されている。
押圧部材１６も上記押圧部材保持体１７と同様の、例えば、プラスチック等の合成樹脂製とされており、上記当接部１６Ａが押圧部材保持体１７のコ字状部に挟み込まれ、接着等により装着されるようになっている。
【００４６】
図１に示すように、断面略Ｌ字形状の押圧部材１６の当接部１６Ａの表面（ロール紙引き出し側）には、商品名等が記されたプレートＰ１が接着等で貼り付けられている。また、押圧部材１６の突出片部１６Ｂの表面（ロール紙引き出し側）には、図２に示すように、使い勝手の良さや、デザインのよさ等をアピールするためのキャッチフレーズが記されたプレートＰ２が接着等で貼り付けられている。
そして、これにより、商品を広くアピールすることができる。
【００４７】
このような構成のロール紙押圧機構１５は、ロール紙本体１００の外周面を押えるため、ある程度の重量が必要とされ、本実施形態では、押圧部材１６と押圧部材保持体１７との合計の重量が、例えば、約８０ｇに設定されている。
ただし、重量は８０ｇに限定されない。重量があまり軽いと押ええの役割を果たせず、あまり重いとスムーズに回転できず、その結果、ロール紙１０１をスムーズに引出せないことになる。そして、ロール紙押圧機構１５の重量は８０〜１００ｇが好ましい。
【００４８】
ロール紙押圧機構１５は、その押圧部材１６の当接部１６Ａと押圧部材保持体１７の一面側とが、図２，６等に示すように、ロール紙本体１００の幅方向略全域にわたって当接するようになっている。
そして、使用状態によって外径の大きさが変わるロール紙本体１００に対して、押圧部材１６の当接部１６Ａ、および突出片部１６Ｂの向きも変わることになる。
【００４９】
その状態を、図６〜８に基づいて説明する。
まず、図６に示すように、ホルダ本体１２内に収容された未使用あるいは使用開始から間もない状態で、ロール紙本体１００の外径が大きい場合、押圧機構支持アーム１８の第１アーム部１８Ａで、ホルダ本体１２内に収容されたロール紙本体１００の両側面を挟み込むと共に、ロール紙押圧機構１５の押圧部材１６をロール紙本体１００の外周面に当接させる。
このとき、本体背面部１２Ａの表面とロール紙本体１００の芯までの距離Ｌ１に対して、本体背面部１２Ａの表面と押圧部材保持体１７の取付け部との距離Ｌ２が大きな寸法となっている。
【００５０】
そのため、ロール紙押圧機構１５がロール紙本体１００の芯より外側に離れた位置で、そのロール紙本体１００を押圧しているので、ロール紙本体１００の回転に連れてロール紙押圧機構１５が本体背面部１２Ａ側に回動することがない。
また、未使用時等のロール紙本体１００をホルダ本体１２内に収容した状態で、ロール紙押圧機構１５のロール紙本体１００の外周面における位置は、本体背面部１２Ａ上部の押圧機構保持部１２の位置より上方に収容されるように、押圧機構支持アーム１８等の長さが設定されている。
これにより、本体背面部１２Ａの高さ寸法が少なくてもよくなり、本体背面部１２Ａ、ひいてはホルダ本体１２を小型化することができる。
【００５１】
このような状態で、ロール紙１０１が引出されると、上記押圧部材１６がロール紙本体１００の外周面を押えているので、ロール紙１０１が必要以上に引出されることがなく、また、ロール紙１０１の引出しに連れてロール紙本体１００が引出されることもない。
さらに、ロール紙本体１００を手で押さえることなく容易に引出すことができる。
【００５２】
次に、図７に示すように、ロール紙１０１が順次引出されて使用され、ロール紙本体１００の外径が使用初めの頃に比べて小さくなった場合、ロール紙押圧機構１５の押圧部材１６がロール紙本体１００の外周面を押えた状態で当接している。
このような状態でも、ロール紙１０１が引出されると、上記押圧部材１６がロール紙本体１００の外周面を押えているので、ロール紙１０１が必要以上に引出されることがなく、また、ロール紙１０１の引出しに連れてロール紙本体１００が引出されることもない。
さらに、ロール紙本体１００を手で押さえることなく容易に引出すことができる。
【００５３】
次に、図８に示すように、図７の状態から、ロール紙１０１がさらに引出されて使用され、ロール紙本体１００が芯の外周にロール紙１０１がわずかに残っているような状態のとき、押圧部材１６の一端部がロール紙本体１００の外周面を押えた状態で、押圧部材１６と突出片部１６Ｂとの折曲げ部が前記傾斜底面部１２Ｂに当接している。
このような状態でも、ロール紙１０１が引出されると、押圧部材１６の一端部がロール紙本体１００の外周面を押えているので、ロール紙１０１が必要以上に引出されることがなく、また、ロール紙１０１の引出しに連れてロール紙本体１００が引出されることもない。
さらに、ロール紙１０１が残り少なくなっても、ロール紙本体１００を手で押さえることなく容易に引出すことができる。
【００５４】
図９には、ホルダ本体１２内にロール紙本体１００が収容されていない状態が示されている。
このとき、押圧機構支持アーム１８は、その第１アーム部１８Ａが本体背面部１２の表面に接触した状態となっており、また、ロール紙押圧機構１５の押圧部材１６と突出片部１６Ｂとの折曲げ部が傾斜底面部１２Ｂに当接している。
【００５５】
次に、図１０に基づいて、ロール紙１０１の引出しに連れてロール紙本体１００がホルダ本体１２から飛び出さない機構の原理を説明する。
図１０に示すように、ホルダ本体１２に装着されたトイレットペーパー（ロール紙本体１００）の重心点Ｃは、傾斜板（傾斜底面部１２Ｂ）の上面から離れており、ロール紙本体１００のホルダ本体１２内における接触箇所は、垂直固定板（本体背面部１２Ａ）の表面と、傾斜底面部１２Ｂの表面との２箇所となり、曲面のロール紙本体１００は常時落下加速を保持して保たれ、ポテンシャルエネルギーは不安定となり、且つロール紙本体１００の重量も分散されるため、ロール紙１０１の引き出しが容易となる。
【００５６】
ここで、ロール紙本体１００の重量Ｗｇｒは、本体背面部１２Ａに垂直に働く力Ｆ２と、傾斜底面部１２Ｂに垂直に働く力Ｆ１とによって支えられる。そして、その大きさは、本体背面部１２Ａと傾斜底面部１２Ｂとの角度が７０°のとき、
Ｆ１＝Ｗgr cos20.0°＝０．９４Ｗgr
Ｆ２＝Ｗgr tan20.0°＝０．３６Ｗgr
で与えられる。
なお、図１０において、ロール紙本体１００は、その直径が１１０ｍｍの製品である。
【００５７】
次に、以上のような構成のロール紙ホルダ１０の使用方法を説明する。
使用に先立って、使用者は、まず、ホルダ本体１２内にロール紙本体１００を収容（セット）するが、この際、ロール紙１０１がロール紙本体１００の下側から引き出される状態でセットする。
ここで、ホルダ本体１２には蓋がないため、ロール紙押え装置１４を本体背面部１２Ａの上方側に回動させておくことで、ホルダ本体１２の上方から手でロール紙本体１００を簡単に収容することができる。
【００５８】
また、ロール紙本体１００を収容した後、ロール紙本体１００から引き出されるロール紙１０１の先端部１０１Ａは、ロール紙本体１００の底側から傾斜底面部１２Ｂの上面に沿って前方斜め上方へ引き出され、さらにロール紙引出し用のロール紙引き出しガイド部１２Ｃの上面部を経由してロール紙切断機構１３側に、つまり、前方斜め下方側に引き出された状態とされる。
【００５９】
この際、引き出されるロール紙１０１は、傾斜底面部１２Ｂの上面からロール紙引き出しガイド部１２Ｃの上端面のＲ状部に案内されるので、ロール紙１０１の引き出しの際に、ロール紙１０１が前後に揺れ動いたりしない安定した挙動状態で引き出しができるようになっている。
【００６０】
ホルダ本体１２内に未使用のロール紙本体１００が収容された場合、図２，６等に示すように、このロール紙本体１００の背面側（背面側外周部分）が本体背面部１２Ａの表面に当接しつつ、ロール紙本体１００の底面側（底面側外周部分）が傾斜底面部１２Ｂの前側部分で保持される。
【００６１】
また、使用者が、前述のように、ロール紙切断機構１３のある前方へ引き出されているロール紙１０１の先端を掴んで引き出すと、引き出しにより回転したロール紙本体１００の本体背面部１２Ａと傾斜底面部１２Ｂの前側部分との間に、ロール紙本体１００の自重による摩擦力が生じる。
このため、生じた各摩擦力によりロール紙本体１００の転出加速が抑制され、ロール紙本体１００の前方への飛び出しが防がれると共に、滑らかで安定した紙送り速度を実現し、例えば、片手だけでも簡単にロール紙１０１の先端部１０１Ａを引き出すことができる。
【００６２】
上記各摩擦力に加え、ロール紙本体１００の外周面にはロール紙押え装置１４の押圧機構１５が当接されており、この押圧機構１５は、常時、所定の荷重で当該ロール紙本体１００を押圧しているので、このことによっても、ロール紙本体１００の転出加速が抑制され、ロール紙本体１００の前方への飛び出しが防がれると共に、滑らかで安定した紙送り速度を実現し、例えば、片手だけでも簡単にロール紙１０１の先端部１０１Ａを引き出すことができる。
【００６３】
引っ張り出されたロール紙１０１の先端部１０１Ａの切断に際しては、まず、ロール紙ガイド部１２Ｃの上端面部を経由して延びるロール紙１０１の先端部１０１Ａを、切断刃部１３Ｂａの一方側の角部に押し当てて、その部分を突き破り、次に、ロール紙１０１の先端部１０１Ａを斜め後下方に押し切って切断し、又は斜め後下方に引き切って切断すればよい。
【００６４】
切断されたロール紙１０１の先端部１０１Ａに対して、次に引出されるロール紙１０１の先端部１０１Ａは、図５（Ｂ）に示すように、切断刃部１３Ｂａの部位まで引出されているロール紙１０１の先端部１０１Ａａが、上記ロール紙ガイド部１２Ｃの上端面部から前記間隙部Ｓ内に垂れ下がることになる。
そして、次にこの新たなロール紙１０１の先端部１０１Ａａを引き出す際、使用者は、例えば、人差し指を前記切込み部１２Ｄａから間隙部Ｓに差込み、垂れ下がっているロール紙１０１の先端部１０１Ａａの表裏面を、人差し指と親指とで挟み込んで、ロール切断部材１６側に簡単に引出すことができる。
【００６５】
（第１実施形態の効果）
以上のような構成の第１実施形態によれば、次のような効果を得ることができる。
（１）ホルダ本体１２内に収容されたロール紙本体１００からロール紙１０１が引出される際、ロール紙押え装置１４が、ロール紙本体１００の回転を許容しつつ当該ロール紙本体１００の外周を押えているので、ホルダ本体１２内に収容されたロール紙本体１００のロール紙１０１が引き出され、ロール紙本体１００にロール紙１０１が残り少なくなった場合でも、ロール紙本体１００を押さえることなくロール紙１０１を容易に引き出すことができる。
【００６６】
（２）ロール紙押え装置１４が、ロール紙押圧機構１５と押圧機構支持アーム１８とを備えて構成され、この押圧機構支持アーム１８が本体背面部１２Ａに回動自在に設けられているので、ホルダ本体１２内にロール紙本体１００を収容する際、押圧機構支持アーム１８によりロール紙押圧機構１５をホルダ本体１２の上方側に回動させることで、ロール紙本体１００を容易にホルダ本体１２に収容することができ、これにより、ロール紙本体１００の収容の手間が少なくてすむ、という効果が得られる。
【００６７】
（３）本体背面部１２Ａとロール紙本体１００の芯までの距離Ｌ１よりも、本体背面部１２Ａの表面と押圧部材保持体１７の取付け部との距離Ｌ２が大きいので、ロール紙押圧機構１５がロール紙本体１００の芯より外側に離れた位置で、そのロール紙本体１００を押圧していることになる。そのため、ロール紙本体１００の回転に連れてロール紙押圧機構１５が本体背面部１２Ａ側に回動することがない。
【００６８】
（４）未使用時等のロール紙本体１００をホルダ本体１２内に収容した状態で、ロール紙本体１００の外周面におけるロール紙押圧機構１５の位置が、本体背面部１２Ａ上部の押圧機構保持部１２の位置より上方に収容されているので、本体背面部１２Ａの高さ寸法が少なくてもよくなり、その結果、本体背面部１２Ａ、ひいてはホルダ本体１２を小型化することができる。
【００６９】
（５）傾斜底面部１２Ｂの、本体背面部１２Ａからロール紙引き出しガイド部１２Ｃまでの長さが、本体背面部１２Ａと傾斜底面部１２Ｂとの間に未使用時のロール紙本体１００（１１０Φのタイプのもの）が収容されたとき、そのロール紙本体１００の外径寸法と略同じ寸法に設定されているので、傾斜底面部１２Ｂの長さを短くすることができる。
その結果、ホルダ本体１２を壁対Ｗに収容したとき、使用者側に大きく突出しないので、使用の邪魔にならず、安全に使用することができる。また、狭いスペースしか取れないトイレ室でも利用することができる。
【００７０】
（６）ホルダ本体１２の形状が、壁体Ｗに取付けられる本体背面部１２Ａと、その本体背面部１２Ａの下端から当該本体背面部１２Ａに対して７０°の角度で折り曲げられて前方側に延設された傾斜底面部１２Ｂとを有する形状となっているので、ホルダ本体１２内にロール紙本体１００を収容したとき、そのロール紙本体１００の重心が折曲げ部側に位置することになる。その結果、ロール紙１０１を引出す際、ロール紙押え装置１４の押え機能と相俟って、ロール紙１０１の引き出しに連れてロール紙本体１００が引出されることがなく、また、余分な量が引出されることなく、ロール紙１０１の引出しが容易になる。
【００７１】
（７）本体背面部１２Ａおよび傾斜底面部１２Ｂと、傾斜底面部１２Ｂに続く連結部１２Ｄおよび切断機構取付け部１２Ｅが、ステンレス製の、例えば、２．０ｍｍ程度の薄板で形成されており、この加工は、ベンダー加工やプレス加工等で容易にできる。その結果、加工性に優れ、また、耐食性、耐熱性等に優れたものとなり、さらに、衛生面でも優れた効果を得ることができる。
【００７２】
（８）ロール紙引き出しガイド部１２Ｃとロール紙切断部材１３Ｂとの間に、側面形状が略三角形状の間隙部Ｓが形成されているので、ロール紙１０１を引き出す際に、例えば、人差し指をその間隙部Ｓに差込み、親指とでロール紙１０１の先端を挟み込んでロール紙１０１を引き出すことができる。つまり、ホルダ本体１２等のどこにも触れずにロール紙１０１を引き出すことができる。その結果、ロール紙ホルダ１０を病院等の医療施設に収容した場合でも、例えば、何らかの菌を持っている入院患者がトイレを使用するときでも、何らかの菌がそれらの各部位に付着するおそれがなくなり、衛生面に優れたロール紙ホルダ１０として、医療施設等に提供することができる。
【００７３】
次に、図１１、図１２に基づいて、本発明に係るロール紙ホルダの第２実施形態を説明する。
本第２実施形態のロール紙ホルダ２０は、前記第１実施形態のロール紙押圧機構１５を構成する押圧機構１５に換えて、押圧機能を有するロール状部材２５により押圧機構２５を構成したものである。
【００７４】
すなわち、図１１に示すように、本第２実施形態のロール紙押え装置２４では、前記第１実施形態の押圧機構支持アーム１８と略同様の構成の押圧機構支持アーム２８の先端に、上記ロール状部材２５を回転自在に取付けたものである。
ロール状部材２５は、プラスチック等の合成樹脂やゴム製のものが用いられ、長手方向両端内部に所定深さの細孔２５Ａが形成されており、この細孔２５Ａに、上記押圧機構支持支持アーム２８の先端折曲げ部２８Ｂが挿入され、この先端折曲げ部２８Ｂに上記ロール状部材２５が回転自在に取付けられている。
【００７５】
また、図１２に示すように、ロール状部材２５の全長は、ロール紙本体１００の幅寸法より大きな寸法に形成されている。
そして、このロール状部材２５の重量は、前記第１実施形態のロール紙押圧機構１５の重量と略同じ重量の略８０ｇに設定されている。
【００７６】
なお、ロール状部材２５を、プラスチック等の合成樹脂やゴム製のパイプ状の部材で構成してもよい。
また、図１１，１２において、前記第１実施形態と同一の使用部材、構造の物には、同一符号を付すと共に、その詳細な説明は省略し、異なる部分のみ説明してある。
【００７７】
（第２実施形態の効果）
以上のような構成の第２実施形態によれば、前記（１）〜（８）と略同様の効果の他、次のような効果を得ることができる。
（９）ロール押え装置２４を構成するロール紙押圧機構２５がロール状部材で構成されているので、簡単な構成となり、製作や組み立ても容易となる、という効果が得られる。
【００７８】
次に、図１３に基づいて、本発明に係るロール紙ホルダの第３実施形態を説明する。
本第３実施形態のロール紙ホルダ３０は、前記第２実施形態でロール状部材２５を押圧機構支持アーム部２８の第２アーム部２８Ｂの先端部に取付けたものを、押圧機構支持アーム部３８の先端部に直接取付けたものである。
すなわち、ロール紙ホルダ３０のロール紙押え装置３４は、ロール紙押圧機構を構成する押圧機構支持アーム３８とを備えて構成されている。
上記押圧機構支持アーム３８は、前記第２実施形態の押圧機構支持アーム２８の第１アーム部２８Ａと同様の形状に形成され、この押圧機構支持アーム３８の先端２０を折曲げてロール状部材２５を取付けるようにしたものである。
なお、図１３において、前記第１，２実施形態と同一の使用部材、同一構造の物には、同一符号を付すと共に、その詳細な説明は省略し、異なる部分のみ説明してある。
【００７９】
（第３実施形態の効果）
以上のような構成の第３実施形態によれば、前記（１）〜（８）と略同様の効果の他、次のような効果を得ることができる。
（１０）押圧機構支持アーム３８の先端部に直接ロール状部材２５を取り付けてあるので、第２実施形態における第２アーム部２８Ｂが不要となり、第２実施形態に比べて、さらに、簡単な構成とすることができ、製作、組み立ても容易である。
【００８０】
以上、上記各実施形態を参照して本発明を説明したが、本発明は上記各実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【００８１】
例えば、前記各実施形態では、ホルダ本体１２が、その本体背面部１２Ａの取付け用孔１２Ａａから壁体Ｗに向けて取付けビス５０をねじ込むことで取付け固定されているが、これに限らない。図示しないが、予め、本体背面部１２Ａの形状に合わせて作られ、壁体取付け用の孔を有する本体取付け用基板を用意しておき、この本体取付け用基板と本体背面部１２Ａとを一体化した後、本体取付け用基板を壁体Ｗに取付け固定するようにしてもよい。
【００８２】
あるいは、本体取付け用基板を、予め、壁体Ｗに取り付けておいて、本体取付け用基板の両側に形成されている取付け溝に、ホルダ本体１２の本体背面部１２Ａの両側面をスライドさせて取り付けるようにしてもよい。
【符号の説明】
【００８３】
１０    ロール紙ホルダ（第１実施形態）
１２    ホルダ本体
１２Ａ  本体背面部
１２Ｂ  傾斜底面部
１２Ｃ  ロール紙引き出しガイド部
１３    ロール紙切断機構
１３Ｂ  切断刃部材
１３Ｂａ  切断刃部
１４    ロール紙押え装置
１５    ロール紙押圧機構
１８    押圧機構支持アーム
２０    ロール紙ホルダ（第２実施形態）
２５    ロール状部材（ロール紙押圧機構）
３０    ロール紙ホルダ（第３実施形態）
Ｓ      間隙部
１００  ロール紙本体
１０１  ロール紙
１０１Ａ  ロール紙先端部
１０１Ａａ  切断後のロール紙先端部
【要約】
【課題】上面が開口されたホルダ本体内に収容されたロール紙本体のロール紙が残り少なくなった場合でも、ロール紙本体を手で押さえることなく容易に引き出すことができるロール紙ホルダを提供する。
【解決手段】ロール紙ホルダ１０は、本体背面部１２Ａと、この本体背面部１２Ａに対してロール紙引出し側に向かって延設され本体背面部１２Ａに対して鋭角状に形成された傾斜底面部１２Ｂとを備えたホルダ本体１２を備えて構成され、本体背面部１２Ａには、当該本体背面部１２Ａの前面側で上下方向に回動自在に機能するロール紙押え装置１４が設けられ、このロール紙押え装置１４は、ロール紙１０１の引出し時にロール紙本体１００の回転を許容しつつ当該ロール紙本体１００を押える機能を有している。
【選択図】図１【図１】
0006812026.tif 000002
【図２】
0006812026.tif 000003
【図３】
0006812026.tif 000004
【図４】
0006812026.tif 000005
【図５】
0006812026.tif 000006
【図６】
0006812026.tif 000007
【図７】
0006812026.tif 000008
【図８】
0006812026.tif 000009
【図９】
0006812026.tif 000010
【図１０】
0006812026.tif 000011
【図１１】
0006812026.tif 000012
【図１２】
0006812026.tif 000013
【図１３】
0006812026.tif 000014